(57)【特許請求の範囲】
【請求項１】
グラフィック信号発生手段から生じる所定のグラフィック信号をディスプレー手段に伝送する装置において、
前記グラフィック信号は各ピクセル毎に所定ビット数のピクセルデータを具備し、現在のグラフィック信号と以前のグラフィック信号との同一位置ピクセルデータの比較による変更の有無に基づいて、前記現在のグラフィック信号の前記同一位置ピクセルデータ中の所定数のＭＳＢ／ＬＳＢビット列のうちどちらか１つに圧縮した後で所定のヘッダ情報と共に１チャンネルの光信号に変調して送信する送信インタフェース手段と、
前記変調された伝送データ及びヘッダ情報を伝送する光伝送媒体と、
前記光伝送媒体から送信された伝送データ及びヘッダ情報を実際のグラフィック信号に復元して前記ディスプレー手段に伝送する受信インタフェース手段とを含むグラフィック信号の光伝送装置。
【請求項２】
前記送信インタフェース手段は、
現在及び以前のグラフィック信号を比較して圧縮された伝送データ及び前記グラフィック信号の比較による所定のヘッダ情報を出力する圧縮手段と、
前記伝送データ及びヘッダ情報を前記光伝送媒体に適するようにＤＣバランシングさせるエンコーディング手段と、
前記ＤＣバランシングされた伝送データ及びヘッダ情報を直列化する直列化手段と、
前記直列化された信号を光信号に変換させて前記光伝送媒体に伝送する光送信手段とを含むことを特徴とする請求項１に記載のグラフィック信号の光伝送装置。
【請求項３】
前記以前のグラフィック信号を保存する第１貯蔵手段をさらに含むことを特徴とする請求項２に記載のグラフィック信号の光伝送装置。
【請求項４】
前記圧縮手段では、
グラフィック信号の比較により圧縮された所定の伝送データビット列と、変更された前記グラフィック信号の位置情報を確認する所定のビット列、変更された前記グラフィック信号の状態を確認する所定のビット列、前記グラフィック信号のデータイネーブルビット、水平／垂直シンク信号、余分の制御ビット列及び前記ビット列のエラーを訂正する所定のエラー訂正ビット列より構成されたヘッダ情報とを出力することを特徴とする請求項２に記載のグラフィック信号の光伝送装置。
【請求項５】
前記圧縮手段から出力される伝送データは所定の設定命令により前記同一位置ピクセルデータ中のＭＳＢ／ＬＳＢビット列のうちどちらか１つが選定されることを特徴とする請求項２に記載のグラフィック信号の光伝送装置。
【請求項６】
前記圧縮手段は、
現在のグラフィック信号と以前のグラフィック信号との同一位置ピクセルデータの比較による変更の有無に基づいて、前記現在のグラフィック信号の前記同一位置ピクセルデータ中の所定数のＭＳＢ／ＬＳＢビット列のうちどちらか１つに圧縮して圧縮された伝送データによる所定のヘッダ情報を出力する映像圧縮手段と、
前記圧縮手段から出力されるヘッダ情報のエラーを訂正して符号化するエラー訂正符号化手段と、
エラー訂正符号化された前記ヘッダ情報が所定のビット列以上ならば順次的伝送のために所定のビット列にシフトさせるシフト手段と、
前記伝送データとシフトされた前記ヘッダ情報とをスイッチングするスイッチング手段とを含むことを特徴とする請求項２に記載のグラフィック信号の光伝送装置。
【請求項７】
前記受信インタフェース手段は、
前記光伝送媒体から送信された直列グラフィック信号を電気的なグラフィック信号に変換する光受信手段と、
前記電気的なグラフィック信号を並列グラフィック信号に変換する並列化手段と、
前記並列グラフィック信号を元来のグラフィック信号にデコーディングするデコーディング手段と、
前記デコーディングされたグラフィック信号の圧縮を復元して前記ディスプレー手段に伝送する復元手段とを含むことを特徴とする請求項１に記載のグラフィック信号の光伝送装置。
【請求項８】
前記デコーディング手段から出力されるグラフィック信号を保存する第２貯蔵手段をさらに含むことを特徴とする請求項７に記載のグラフィック信号の光伝送装置。
【請求項９】
前記復元手段は、
前記デコーディング手段から出力されるグラフィック信号を伝送データとヘッダ情報とに分離する分離手段と、
前記分離されたヘッダ情報を所定のビット列に順次的に伝送するためにシフトさせるシフト手段と、
前記シフトされたヘッダ情報が一定ビット列以上ならば符号化されたヘッダ情報のエラーを復号化するエラー訂正復号化手段と、
前記分離された伝送データが前記同一位置ピクセルデータ中のＭＳＢなのかＬＳＢなのかをヘッダ情報に基づいて確認することによって実際のグラフィック信号を復元する映像復元手段とを含むことを特徴とする請求項７に記載のグラフィック信号の光伝送装置。
【請求項１０】
グラフィック信号発生手段から生じる所定のグラフィック信号を光伝送媒体によりディスプレー手段に伝送する方法において、
（ａ）前記グラフィック信号は各ピクセル毎に所定ビット数のピクセルデータを具備し、現在のグラフィック信号と以前のグラフィック信号との同一位置ピクセルデータの比較による変更の有無に基づいて、前記現在のグラフィック信号の前記同一位置ピクセルデータ中の所定数のＭＳＢ／ＬＳＢビット列のうちどちらか１つに圧縮した後で所定のヘッダ情報と共に１チャンネルの光信号に変調して送信する段階と、
（ｂ）前記変調された伝送データ及びヘッダ情報を前記光伝送媒体に伝送する段階と、
（ｃ）前記光伝送媒体から送信された伝送データ及びヘッダ情報を実際のグラフィック信号に復元して前記ディスプレー手段に伝送する段階とを含むグラフィック信号の光伝送方法。
【請求項１１】
前記（ａ）段階は、
（ａ−１）現在及び以前のグラフィック信号を比較して圧縮された伝送データ及び前記グラフィック信号の比較による所定のヘッダ情報を出力する段階と、
（ａ−２）前記伝送データ及びヘッダ情報を前記光伝送媒体に適するようにＤＣバランシングさせる段階と、
（ａ−３）前記ＤＣバランシングされた伝送データ及びヘッダ情報を直列化する段階と、
（ａ−４）前記直列化された信号を光信号に変換させて前記光伝送媒体に伝送する段階とを含むことを特徴とする請求項１０に記載のグラフィック信号の光伝送方法。
【請求項１２】
前記（ａ−１）段階は、
グラフィック信号の比較により圧縮された所定の伝送データビット列と、変更された前記グラフィック信号の位置情報を確認する所定のビット列、変更された前記グラフィック信号の状態を確認する所定のビット列、前記グラフィック信号のデータイネーブルビット、水平／垂直シンク信号、余分の制御ビット列及び前記ビット列のエラーを訂正する所定のエラー訂正ビット列より構成されたヘッダ情報とを出力することを特徴とする請求項１１に記載のグラフィック信号の光伝送方法。
【請求項１３】
前記伝送データは所定の設定命令により前記同一位置ピクセルデータ中のＭＳＢ／ＬＳＢビット列のうちどちらか１つが選定されることを特徴とする請求項１２に記載のグラフィック信号の光伝送方法。
【請求項１４】
前記（ａ−１）段階は、
（ａ−１１）現在のグラフィック信号と以前のグラフィック信号との同一位置ピクセルデータの比較による変更の有無に基づいて、前記現在のグラフィック信号の前記同一位置ピクセルデータ中の所定数のＭＳＢ／ＬＳＢビット列のうちどちらか１つに圧縮して圧縮された伝送データによる所定のヘッダ情報を出力する段階と、
（ａ−１２）前記ヘッダ情報のエラーを訂正して符号化する段階と、
（ａ−１３）エラー訂正符号化された前記ヘッダ情報が所定のビット列以上ならば順次的伝送のために所定のビット列にシフトさせる段階と、
（ａ−１４）前記伝送データとシフトされた前記ヘッダ情報とをスイッチングする段階とを含むことを特徴とする請求項１１に記載のグラフィック信号の光伝送方法。
【請求項１５】
前記（ｃ）段階は、
（ｃ−１）前記光伝送媒体から送信された直列グラフィック信号を電気的なグラフィック信号に変換する段階と、
（ｃ−２）前記電気的なグラフィック信号を並列グラフィック信号に変換する段階と、
（ｃ−３）前記並列グラフィック信号を元来のグラフィック信号にデコーディングする段階と、
（ｃ−４）前記デコーディングされたグラフィック信号の圧縮を復元して前記ディスプレー手段に伝送する段階とを含むことを特徴とする請求項１０に記載のグラフィック信号の光伝送方法。
【請求項１６】
前記（ｃ−１）段階は、
（ｃ−１１）前記デコーディングされたグラフィック信号を伝送データとヘッダ情報とに分離する段階と、
（ｃ−１２）前記分離されたヘッダ情報を所定のビット列に順次的に伝送するためにシフトさせる段階と、
（ｃ−１３）前記シフトされたヘッダ情報が一定ビット列以上ならば符号化されたヘッダ情報のエラーを復号化する段階と、
（ｃ−１４）前記分離された伝送データが前記同一位置ピクセルデータ中のＭＳＢなのかＬＳＢなのかをヘッダ情報に基づいて確認することによって実際のグラフィック信号を復元する段階とを含むことを特徴とする請求項１５に記載のグラフィック信号の光伝送方法。
【発明の詳細な説明】
【０００１】
【発明の属する技術分野】
本発明は信号伝送装置及び方法に係り、より詳細にはグラフィック信号を１つの光チャンネルに変換して伝送するグラフィック信号の光伝送装置及び方法に関する。
【０００２】
【従来の技術】
いろいろなチャンネルに分離された電気ケーブルにより高速のグラフィック信号が伝送される場合、各チャンネル間の相互影響により相互干渉現象が発生し、チャンネル間の伝送遅延によるスキューが発生し、電気線による電磁波放射量が増えて周辺装置に被害をもたらす可能性があり、いろいろなチャンネルを連結するためにコネクタの構造が複雑になる。
【０００３】
図１は従来のグラフィック信号伝送装置の構成を示すブロック図である。
グラフィックチップ１０は伝送するＲＧＢ３チャンネルの２４ビットグラフィック信号、データイネーブル、クロック及びコントロール信号より構成された並列グラフィック信号を出力し、グラフィック信号送信手段１１はグラフィックチップ１０から出力された並列グラフィック信号をグラフィック信号３チャンネル及びクロック１チャンネルの直列グラフィック信号に変換して送信する。グラフィック信号受信手段１２は送信されたグラフィック信号を受信して元来の並列グラフィック信号に復元した後、ディスプレー手段１３に伝送する。
【０００４】
従来技術ではグラフィックの基本色ＲＧＢをそれぞれのチャンネル（３チャンネル）に割り当て、チャンネル間相互干渉の影響及び電磁波を低減するために電気的な遮蔽装置及びケーブル遮蔽を基本としている。そしてグラフィック信号送信手段１１及びグラフィック信号受信手段１２のインピーダンスマッチングのためにケーブル種類によりグラフィック信号発生装置のコンピュータ（図示せず）とディスプレー手段１２のターミナルインピーダンスを調整せねばならない。また、従来のグラフィック信号伝送装置は長距離伝送に脆弱な構造で形成されており、約５ｍ程度が最大伝送距離として知られている現状である。
【０００５】
このように従来技術はグラフィックの基本色ＲＧＢがそれぞれのチャンネル（３チャンネル）に割当てられ、その３チャンネルが電気的なケーブルより構成されているために高速のグラフィック信号が伝送される時、チャンネル間の電気的な相互干渉影響でグラフィック信号の歪曲及び多量の電磁波が放出されることにより周辺機器に悪い影響を及ぼす可能性がある。そしてチャンネル別の伝送遅延を補償するための装置が必須である。従って、こういう相互干渉、チャンネル間の伝送遅延及び電磁波発生を低減するために電気的な遮蔽装置及びケーブル遮蔽を基本的に適用しなければならない問題点があった。そしてグラフィック信号受信手段１２のインピーダンスマッチングが困難であり、ケーブル種類によりグラフィック信号を生じるコンピュータとディスプレー手段１３とのターミナルインピーダンス状態を調整する困難さが存在して長距離伝送に脆弱な問題点があった。
【０００６】
【発明が解決しようとする課題】
本発明がなそうとする技術的な課題は多数のチャンネルに伝送されるグラフィック信号を同じハードウェア仕様で１つの光チャンネルを利用して伝送するグラフィック信号の光伝送装置を提供するところにある。
本発明がなそうとする他の技術的な課題は多数のチャンネルに伝送されるグラフィック信号を同じハードウェア仕様で１つの光チャンネルを利用して伝送するグラフィック信号の光伝送方法を提供するところにある。
【０００７】
【課題を解決するための手段】
本発明がなそうとする技術的な課題を解決するためのグラフィック信号の光伝送装置は、グラフィック信号発生手段から生じる所定のグラフィック信号をディスプレー手段に伝送する装置において、現在のグラフィック信号を以前のグラフィック信号と比較して所定の伝送データを圧縮した後で所定のヘッダ情報と共に１チャンネルの光信号に変調して送信する送信インタフェース手段と、前記変調された伝送データ及びヘッダ情報を伝送する光伝送媒体と、前記光伝送媒体から送信された伝送データ及びヘッダ情報を実際のグラフィック信号に復元して前記ディスプレー手段に伝送する受信インタフェース手段を含むことが望ましい。
【０００８】
本発明において前記送信インタフェース手段は、現在及び以前のグラフィック信号を比較して圧縮された伝送データ及び前記グラフィック信号の比較による所定のヘッダ情報を出力する圧縮手段と、前記伝送データ及びヘッダ情報を前記光伝送媒体に適するようにＤＣバランシングさせるエンコーディング手段と、前記ＤＣバランシングされた伝送データ及びヘッダ情報を直列化する直列化手段と、前記直列化された信号を光信号に変換させて前記光伝送媒体に伝送する光送信手段をと含むことを特徴とする。
【０００９】
本発明において前記受信インタフェース手段は、前記光伝送媒体から送信された直列グラフィック信号を電気的なグラフィック信号に変換する光受信手段と、前記電気的なグラフィック信号を並列グラフィック信号に変換する並列化手段と、前記並列グラフィック信号を元来のグラフィック信号にデコーディングするデコーディング手段と、前記デコーディングされたグラフィック信号の圧縮を復元して前記ディスプレー手段に伝送する復元手段とを含むことを特徴とする。
【００１０】
本発明がなそうとする他の技術的な課題を解決するためのグラフィック信号の光伝送方法は、グラフィック信号発生手段から生じる所定のグラフィック信号を光伝送媒体によりディスプレー手段に伝送する方法において、（ａ）現在のグラフィック信号を以前のグラフィック信号と比較して所定の伝送データを圧縮した後で所定のヘッダ情報と共に１チャンネルの光信号に変調して送信する段階と、（ｂ）前記変調された伝送データ及びヘッダ情報を前記光伝送媒体に伝送する段階と、（ｃ）前記光伝送媒体から送信された伝送データ及びヘッダ情報を実際のグラフィック信号に復元して前記ディスプレー手段に伝送する段階とを含むことが望ましい。
【００１１】
本発明において前記（ａ）段階は、（ａ−１）現在及び以前のグラフィック信号を比較して圧縮された伝送データ及び前記グラフィック信号の比較による所定のヘッダ情報を出力する段階と、（ａ−２）前記伝送データ及びヘッダ情報を前記光伝送媒体に適するようにＤＣバランシングさせる段階と、（ａ−３）前記ＤＣバランシングされた伝送データ及びヘッダ情報を直列化する段階と、（ａ−４）前記直列化された信号を光信号に変換させて前記光伝送媒体に伝送する段階とを含むことを特徴とする。
【００１２】
本発明において前記（ｃ）段階は、（ｃ−１）前記光伝送媒体から送信された直列グラフィック信号を電気的なグラフィック信号に変換する段階と、（ｃ−２）前記電気的なグラフィック信号を並列グラフィック信号に変換する段階と、（ｃ−３）前記並列グラフィック信号を元来のグラフィック信号にデコーディングする段階と、（ｃ−４）前記デコーディングされたグラフィック信号の圧縮を復元して前記ディスプレー手段に伝送する段階とを含むことを特徴とする。
【００１３】
【発明の実施の形態】
以下、添付された図面を参照して本発明を詳細に説明する。
図２は本発明によるグラフィック信号光伝送装置の構成を示すブロック図であり、グラフィックチップセット２０、第１貯蔵手段２１、送信インタフェース手段２２、受信インタフェース手段２３、第２貯蔵手段２４、ディスプレー手段２５より構成される。
【００１４】
グラフィックチップセット２０はノート型コンピュータまたはデスクトップコンピュータなどのグラフィック信号発生装置に内蔵された手段であり、２４ビット（ＲＧＢ３チャンネル（それぞれ８ビット））のデジタルグラフィック信号、６ビットのコントロール信号及びクロックを生じる。
第１貯蔵手段２１はグラフィックチップセット２０から生じた以前のグラフィック信号を保存する。
【００１５】
送信インタフェース手段２２は現在のグラフィック信号と第１貯蔵手段２１に保存された以前のグラフィック信号とを比較してその結果によって伝送するデータを圧縮し、ヘッダ情報と１チャンネルの光信号に変調する。送信インタフェース手段２２は、伝送データを、グラフィック信号の隣接フレームのピクセルデータまたは（グラフィック解像度による）ライン数などを比較して圧縮できる。送信インタフェース手段２２において変調された伝送データとヘッダ情報とは１チャンネル光伝送媒体（光ファイバ）を通じて受信インタフェース手段２３に伝送される。
【００１６】
受信インタフェース手段２３は１チャンネル光伝送媒体からの伝送データ及びヘッダ情報を実際のグラフィック信号に復元してディスプレー手段２５に出力する。
第２貯蔵手段２４は受信インタフェース手段２３において復元されたグラフィック信号を保存する。
送信インタフェース手段２２は圧縮手段（２２−１）、ＤＣバランシングエンコーディング手段（２２−２）、直列化手段（２２−３）、光コネクタ送信手段（２２−４）より構成される。
【００１７】
圧縮手段（２２−１）はグラフィックチップセット２０から出力される現在の３０ビットのグラフィック信号と第１貯蔵手段２１に保存された以前のグラフィック信号とを比較して３チャンネル（各チャネル４ビット）の１２ビットの伝送データ及びグラフィック信号の比較による所定のヘッダ情報を出力する。圧縮手段（２２−１）は現在のグラフィック信号のフレーム１のピクセルデータと直前段階フレーム０の同一位置ピクセルデータとを比較して、変更事項が生じれば、変更されたピクセルデータのうちからチャンネル別に最上位の（ＭＳＢ）４ビット（または２ビット）を、変更事項が生じなければ、チャンネル別の最下位（ＬＳＢ）４ビット（または２ビット）の情報だけを選定して出力する。
【００１８】
図３は図２に図示された装置のうち圧縮手段（２２−１）の動作を説明するための図面であり、図３に図示されたバッファは図２に図示された第１貯蔵手段２１と同一である。図３に図示されたようにフレーム０のラインデータはバッファに保存されている。現在入力されるフレーム１のライン１データとバッファに保存されたフレーム０のライン１データとを比較して、変更されたピクセルがあれば（ｓｔｅｐ−１）最上位４ビットを出力し、変更されたピクセルがなければ（ｓｔｅｐ−２）最下位４ビットを出力する。このように処理過程後にフレーム１のラインデータは第１貯蔵手段２１にアップデートされる。次に現在入力されるフレーム２のライン１データとバッファに保存されたフレーム１のライン１データとを比較して、変更されたピクセルがあれば（ｓｔｅｐ−１）最上位４ビットを出力し、変更されたピクセルがなければ（ｓｔｅｐ−２）最下位４ビットを出力する。このように処理過程後にフレーム２のラインデータは第１貯蔵手段２１にアップデートされる。
【００１９】
圧縮手段（２２−１）は圧縮した４ビットの伝送データ及び伝送データによるヘッダ情報を出力する。ヘッダ情報は、変更されたラインの位置情報（ＬｉｎｅＮｕｍｂｅｒ）を識別する１２ビットのラインポジション（ＬＰ：Ｌｉｎｅ Ｐｏｓｉｔｉｏｎ）、変更されたグラフィックデータの状態（ＭＳＢ−４ビットまたはＬＳＢ−４ビット）を識別する２ビットのライン状態（ＬＳ：Ｌｉｎｅ Ｓｔａｔｅ）、デジタルグラフィック信号に関する１ビットのデータイネーブル（ＤＥ：Ｄａｔａ Ｅｎａｂｌｅ）と２ビットの水平／垂直同期信号（ＨＳＹＮＣ／ＶＳＹＮＣ）と余分のコントロール３ビットを含む６ビットの制御（ＣＴＬ：Ｃｏｎｔｒｏｌ）ビットの総２０ビットより構成される。ここにグラフィックデータの状態を定義するヘッダのエラーを訂正できるエラー訂正コード（ＥＣＣ：Ｅｒｒｏｒ Ｃｏｒｒｅｃｔｉｏｎ Ｃｏｄｅ）１５ビットが追加される。従って、図４に図示されたように圧縮手段（２２−１）から出力されるデータはヘッダ情報３５ビットと伝送データ１２ビットとの総４７ビットが出力される。
【００２０】
図５は圧縮手段（２２−１）の詳細ブロック図であり、第１制御手段（２２−１１）、映像圧縮手段（２２−１２）、エラー訂正エンコーディング手段（２２−１３）、バッファレジスタ（２２−１４）、シフトレジスタ（２２−１５）、マルチプレクサ（１１−１６）より構成される。
【００２１】
映像圧縮手段（２２−１２）は、第１制御手段（２２−１１）の制御により、第１貯蔵手段２１に保存された以前のグラフィック信号と現在のグラフィック信号とを比較して１２ビットの伝送データ及び２０ビットのヘッダ情報を出力する。
エラー訂正エンコーディング手段（２２−１３）はヘッダ情報（２０ビット）に対するエラー訂正コード１５ビットを追加した後でバッファレジスタ（２２−１４）に入力する。バッファレジスタ（２２−１４）にはヘッダ情報２０ビットとエラー訂正コード１５ビットとの総３５ビットがバッファリングされている。
【００２２】
シフトレジスタ（２２−１５）はバッファレジスタ（２２−１４）から出力される３５ビットのヘッダ情報を１２ビットずつ分割して順次的に出力する。
マルチプレクサ（２２−１６）は、グラフィックチップセット２０から出力されるクロック信号により、映像圧縮手段（２２−１２）から出力される１２ビットの伝送データとシフトレジスタ（２２−１５）から出力される１２ビットのヘッダ情報とをスイッチングする。
【００２３】
図６は映像圧縮手段（２２−１２）の詳細図であり、第１、第２及び第３映像圧縮手段（２２−１２１、１２２、１２３）、論理和演算手段（２２−１２４）、カウンタ（１１−１２５）より構成される。
【００２４】
第１映像圧縮手段（２２−１２１）はグラフィックチップセット２０から出力される現在のピクセルデータＲの８ビットと第１貯蔵手段２１に保存された以前のピクセルデータＲの８ビットとを比較して、変更事項によりピクセルデータＲのＭＳＢ（４ビット）またはＬＳＢ（４ビット）を出力する。この時変更されたグラフィックデータの状態を示すＬＳ（１ビット）を共に出力する。
【００２５】
第２映像圧縮手段（２２−１２２）はグラフィックチップセット２０から出力される現在のピクセルデータＧ（８ビット）と第１貯蔵手段２１に保存された以前のピクセルデータＧ（８ビット）とを比較して、変更事項によりピクセルデータＧのＭＳＢ（４ビット）またはＬＳＢ（４ビット）を出力する。この時変更されたグラフィックデータの状態を示すＬＳ（１ビット）を共に出力する。
【００２６】
第３映像圧縮手段（２２−１２３）はグラフィックチップセット２０から出力される現在のピクセルデータＢの８ビットと第１貯蔵手段２１に保存された以前のピクセルデータＢの８ビットとを比較し、変更事項によりピクセルデータＢのＭＳＢ（４ビット）またはＬＳＢ（４ビット）を出力する。この時変更されたグラフィックデータの状態を示すＬＳ（１ビット）を共に出力する。
【００２７】
論理和演算手段（２２−１２４）は第１、第２及び第３映像圧縮手段（２２−１２１、１２２、１２３）からそれぞれ出力されるＬＳ（１ビット）を論理和演算してＬＳ０を出力する。最終のＬＳ値は論理和演算手段（２２−１２４）の出力値ＬＳ０と固定値ＬＳ１になる。
カウンタ（２２−１２５）はＨＳＹＮＣをカウントして、変更されたラインの位置情報を識別するＬＰの１２ビットを出力する。
【００２８】
図７は図２に図示された圧縮手段内のエラー訂正エンコーディング手段（２２−１３）を説明するための図面であり、第１〜第５エンコーディング手段（２２−１３１、１３２、１３３、１３４、１３５）より構成される。
【００２９】
映像圧縮手段（２２−１２）から出力される１２ビットのＬＰ、２ビットのＬＳ及び６ビットのＣＴＬより構成された２０ビットのヘッダ情報は、図７（ａ）に図示されたように、４ビットずつ分離される。４ビットずつ分離されたヘッダ情報はエラー訂正エンコーディング手段（２２−１３）に入力されて、エラー訂正エンコーディング値１５ビットを出力する。従って、ヘッダ情報は３５ビットに増加する。図７（ｂ）を見れば、４ビットにそれぞれ分離されたヘッダ情報はそれぞれ第１〜第５エンコーディング手段（２２−１３１、１３２、１３３、１３４、１３５）に入力されて、ヘッダ情報（４ビット）に対して３ビットのエラー訂正コードを出力する。
【００３０】
ＤＣバランシングエンコーディング手段（２２−２）は圧縮手段（２２−１）から出力される伝送データ及びヘッダ情報を光伝送媒体に適するようにＤＣバランシングさせる。この時ＤＣバランシングエンコーディング手段（２２−２）は１２ビットの伝送データ及びヘッダ情報にＤＣバランシング１ビットを追加して（１３ビット）出力する。
【００３１】
直列化手段（２２−３）はＤＣバランシングされた伝送データ及びヘッダ情報を直列化する。図８に直列化手段（２２−３）の詳細図が図示されている。直列化手段（２２−３）はＰＬＬ（２２−３１）、並列レジスタ（２２−３２）、クロック分周器（２２−３３）、シフトレジスタ（２２−３４）、Ｄフリップフロップ（Ｄｅｌａｙ Ｆｌｉｐ−ｆｌｏｐ）（２２−３５）より構成される。
【００３２】
ＰＬＬ（Ｐｈａｓｅ−Ｌｏｃｋｅｄ Ｌｏｏｐ）（２２−３１）は１３：１クロック逓倍器であり、入力されるクロックを１３倍高い周波数に変換する。
並列レジスタ（２２−３２）はＤＣバランシングエンコーディングされた１３ビットの伝送データ及びヘッダ情報を保存する。
クロック分周器（２２−３３）はＰＬＬ（２２−３１）から出力されるクロック（ＳＣＬＫ）を１／１３分周して出力する。
【００３３】
シフトレジスタ（２２−３４）は、ＰＬＬ（２２−３１）のＳＣＬＫ及びクロック分周器（２２−３３）の分周された１３のクロックを入力とし、並列レジスタ（２２−３２）から出力されるＤＣバランシングエンコーディングされた１３ビットの伝送データ及びヘッダ情報をシフトさせる。
Ｄフリップフロップ（２２−３５）は直列処理されたデータとＳＣＬＫとを同期させるために使用される。
光コネクタ送信手段（図２の２２−４）は直列化手段（２２−３）において直列処理された伝送データ及びヘッダ情報を（光伝送媒体である）１チャンネルの光ファイバに出力する。
【００３４】
図２に図示された受信インタフェース手段２３は光コネクタ受信モジュール（２３−１）、並列化手段（２３−２）、デコーディング手段（２３−３）、復元手段（２３−４）より構成される。
光コネクタ受信モジュール（２３−１）は１チャンネルの光ファイバにより伝送された直列グラフィック信号（伝送データ及びヘッダ情報）を受信して電気的なグラフィック信号に変換させる。
並列化手段（２３−２）は光コネクタ受信手段（２３−１）から出力される電気的なグラフィック信号を並列化（デシリアライズ）して１３ビットの並列グラフィック信号に出力する。
【００３５】
図９に並列化手段（２３−２）の詳細図が図示されている。並列化手段（２３−２）はＰＬＬ（２３−２１）、クロック分周器（２３−２２）、Ｄフリップフロップ（２３−２３）、シフトレジスタ（２３−２４）、並列レジスタ（２２−２５）より構成される。
【００３６】
ＰＬＬ（２３−２１）は直列化されたデータ（ＳＤＡＴＡ）を入力としてクロック（ＳＣＬＫ）を生じる。
クロック分周器（２３−２２）はＰＬＬ（２３−２１）から出力されるクロック（ＳＣＬＫ）を１／１３に分周された周波数で出力する。
【００３７】
Ｄフリップフロップ（２３−２３）はＰＬＬ（２２−２１）から出力されるクロック（ＳＣＬＫ）に同期した直列化データ（ＳＤＡＴＡ）を出力する。
シフトレジスタ（２３−２４）はＤフリップフロップ（２３−２３）から出力されるデータを保存し、１３ビットになればシフトさせて出力する。
並列レジスタ（２３−２５）はシフトレジスタ（２３−２４）から出力される１３ビットのデータを保存し、デコーディング手段（２３−３）に出力する。
【００３８】
デコーディング手段（２３−３）は、並列化手段（２３−２）から出力される１３ビットの並列グラフィック信号から、１２ビットの元のグラフィック信号をデコーディングして出力する。
復元手段（２３−４）はデコーディングされた１２ビットの並列グラフィック信号を復元し、ディスプレー手段２５に出力する。
【００３９】
図１０は復元手段（２３−４）の詳細図である。復元手段（２３−４）はデマルチプレックサ（２３−４１）、シフトレジスタ（２３−４２）、バッファレジスタ（２３−４３）、エラー訂正デコーディング手段（２３−４４）、映像復元手段（２３−４５）、第２制御手段（２３−４６）より構成される。
【００４０】
デマルチプレックサ（２３−４１）はデコーディング手段（２３−３）から出力される伝送データ及びヘッダ情報をそれぞれ１２ビットずつ分離して出力する。
シフトレジスタ（２３−４２）はデマルチプレックサ（２３−４１）において分離された１２ビットのヘッダ情報が３６ビットになるまで保存し、３６ビットになればシフトさせて出力する。
バッファレジスタ（２３−４３）はシフトされたヘッダ情報を保存する。
エラー訂正デコーディング手段（２３−４４）は符号化されたヘッダ情報のエラーを復号化し、エラー訂正復号化ビット列を除外したヘッダ情報（２０ビット）を出力する。
【００４１】
映像復元手段（２３−４５）は、デマルチプレックサ（２３−４１）から出力される１２ビットの伝送データ及びエラー訂正デコーディング手段（２３−４４）から出力される２０ビットのヘッダ情報から、元のグラフィック信号を復元する。映像復元手段（２３−４５）は、１２ビットの伝送データ（ＲＧＢそれぞれ４ビット）がＭＳＢなのかＬＳＢなのかをヘッダ情報ＬＳに基づいて確認することによって、また、修正されるべきラインの位置をヘッダ情報ＬＰに基づいて確認することによって、２４ビットのＲＧＢグラフィック信号を復元し、ディスプレー手段２５に出力する。
第２制御手段（２３−４６）は元来のグラフィック信号が復元されるように第２貯蔵手段２４及び映像復元手段（２３−４５）を制御する。
【００４２】
図１１は図１０に図示された復元手段（２３−４）のエラー訂正デコーディングの説明するための図面であり、第１〜第５デコーダ（２３−４４１ａ、４４２ａ、４４３ａ、４４４ａ）、第１〜第５デコーダ−ＸＯＲ（２３−４４１ｂ、４４２ｂ、４４３ｂ、４４４ｂ、４４５ｂ）より構成される。
【００４３】
図１１（ａ）に図示されたように、バッファレジスタ（２３−４３）は１５ビットの符号化されたエラー訂正コードと（それぞれ４ビットずつに分離された）ヘッダ情報とを出力する。分離出力された４ビットのヘッダ情報に３ビットの符号化されたエラー訂正コードが追加されて、図１１（ｂ）に図示されたように、第１〜第５デコーダ（２３−４４１ａ、４４２ａ、４４３ａ、４４４ａ）、第１〜第５デコーダ−ＸＯＲ（２３−４４１ｂ、４４２ｂ、４４３ｂ、４４４ｂ、４４５ｂ）に入力される。第１〜第５デコーダ（２３−４４１ａ、４４２ａ、４４３ａ、４４４ａ）から出力されるデコーディングヘッダ情報は第１〜第５デコーダ−ＸＯＲ（２３−４４１ｂ、４４２ｂ、４４３ｂ、４４４ｂ、４４５ｂ）において分離出力された７ビットのヘッダ情報と排他的論理和演算されてヘッダ情報４ビットと復号化されたエラー訂正コード３ビットとに分離されて出力される。第１〜第５デコーダ−ＸＯＲ（２３−４４１ｂ、４４２ｂ、４４３ｂ、４４４ｂ、４４５ｂ）から出力されるヘッダ情報を組合わせれば、元来のヘッダ情報（ＬＰ１２ビット、ＬＳ２ビット、ＣＴＬ６ビット）およびＥＣＣ１５ビットとなる。
【００４４】
図１２は本発明によるグラフィック信号の光伝送方法の動作を説明するための図面である。図１２はノート型コンピュータあるいはデスクトップコンピュータなどのグラフィック信号発生装置において生成されたＲＧＢ３チャンネルのそれぞれ８ビット（合計２４ビット）のデジタルグラフィック信号を１つの光チャンネルに変換してディスプレー装置に伝送する方法に関する内容である。
圧縮手段（２２−１）は現在のグラフィック信号フレーム１のピクセルデータと直前段階のフレーム０の同一位置ピクセルデータとを比較し、変更事項が生じれば、変更されたピクセルデータの信号のうちチャンネル別にＭＳＢ４ビット（または２ビット）の情報だけを選定してグラフィック信号を伝送する。
【００４５】
図１１のグラフィック信号の伝送形式に準じてＲＥＤ４ビット、ＧＲＥＥＮ４ビット、ＢＬＵＥ４ビットの総１２ビットのグラフィック信号が伝送される。例えば、ＲＥＤチャンネルの場合、フレーム０とフレーム１との比較時に変更事項が生じて、フレーム１のライン０の最初のピクセルの上位のＭＳＢ（４ビット）Ｆが伝送される。この時生じるグラフィック信号の制御信号のうちＨＳＹＮＣ信号をカウンタ（２２−１２５）においてカウントし、その結果、ライン０の位置を定義する。この値を１２ビット（最大４０９６ラインに対する定義情報）ＬＰとして使用する。そしてチャンネル当たり４ビットのグラフィック信号が元来の信号（８ビット）のうちのＭＳＢ（４ビット）であるかＬＳＢ（４ビット）であるかを示すＬＳを利用して、伝送グラフィック信号の状態が確認される。
【００４６】
次にグラフィックフレーム２が入力される場合、フレーム２の信号が入力される過程において処理されたフレーム１の信号は第１貯蔵手段２１に保存されてフレーム２の情報と比較するために待機状態となる。第１貯蔵手段２１に保存されたフレーム１のライン０の最初のピクセルと現在フレーム２のライン０の最初のピクセルとを比較して変更事項が生じて、ＭＳＢ（４ビット）Ａを伝送する。次にフレーム３の信号が前フレーム２と比較して変更事項が生じなかったゆえにＬＳＢ（４ビット）Ｆを伝送する。このような動作を通じて、全体２４ビットのグラフィック信号を、伝送データ（１２ビット）とヘッダ情報（１２ビットのＬＰ、２ビットのＬＳ、６ビットのコントロール信号ＤＥ、ＨＳＹＮＣ、ＶＳＹＮＣ、ＣＴＬ０、１、２など）とヘッダ部分のエラー訂正のための１５ビットのＥＣＣとの形式で伝送する。
【００４７】
本発明により作られたグラフィック伝送データの伝送形式は図１３、１４、１５及び図１６に図示されている。図１３は変更されたピクセル情報（４ビット）を選定して伝送する場合である。変更されたピクセル情報（４ビット）を選定した場合にはグラフィック信号（伝送データ）１２ビットとヘッダ情報３５ビットの総４７ビットのデータが伝送される。図１４は図１３において選定されたピクセル情報の４ビットを示す図面であり、ＬＳ値に基づいてＭＳＢ４ビットまたはＬＳＢ４ビットが伝送されたことが分かる。
【００４８】
図１５は変更されたピクセル情報（２ビット）を選定して伝送する場合である。変更されたピクセル情報（２ビット）を選定した場合にはグラフィック信号（伝送データ：６ビット）とヘッダ情報（３５ビット）との総４１ビットのデータが伝送される。図１６は図１５において選定されたピクセル情報（２ビット）を示す図面であり、ＬＳ値に基づいてＭＳＢ（２ビット）またはＬＳＢ（２ビット）が伝送されたことが分かる。ここで、変更されたピクセル情報の選定は使用者の設定命令により任意に選定できる。
【００４９】
図１７は従来のグラフィック信号の伝送装置と本発明のグラフィック信号光伝送装置及び方法のデータ伝送率とを比較したテーブルである。本発明のような装置及び方法によりグラフィック信号を伝送すれば既存インタフェース伝送装置の伝送率より約７０％が低減される。例えば、解像度ＵＸＧＡを伝送する場合に既存インタフェース装置ではチャンネル当たり１．６Ｇｂｐｓの伝送率、全体で４．８６Ｇｂｐｓのスピードを要求するが、本発明では１つのチャンネルに伝送するのでチャンネル当たり１．４Ｇｂｐｓの伝送率で処理が可能である。
【００５０】
本発明は前述の実施形態に限定されず本発明の思想内で当業者による変形が可能であることはもちろんである。
【００５１】
【発明の効果】
前述したように本発明によれば、グラフィック信号を１つの光チャンネルによりディスプレー装置に伝送するための圧縮／復元手段及び伝送データエラー訂正コードを利用してデータ伝送率を低減でき、伝送中に生じるデータのエラーを捜し出して訂正でき、電気的な伝送方法から生じるチャンネル間の信号干渉現象、チャンネル間の伝送遅延及び電磁波を除去して長距離伝送が容易であり、外部連結を容易にできる効果がある。
【図面の簡単な説明】
【図１】  従来のグラフィック信号伝送装置の構成を示すブロック図である。
【図２】  本発明によるグラフィック信号の光伝送装置の構成を示すブロック図である。
【図３】  図２に図示された装置のうち圧縮手段を説明するための図面である。
【図４】  図２に図示された装置の伝送データ構造図である。
【図５】  図２に図示された装置のうち圧縮手段の詳細図である。
【図６】  図５に図示された圧縮手段のうち映像圧縮手段の詳細図である。
【図７】  図５に図示された圧縮手段においてエラー訂正エンコーディングを説明するための図面である。
【図８】  図２に図示された装置のうち直列化手段の詳細図である。
【図９】  図２に図示された装置のうち並列化手段の詳細図である。
【図１０】  図２に図示された装置のうち復元手段の詳細図である。
【図１１】  図１０に図示された復元手段においてエラー訂正デコーディングを説明するための図面である。
【図１２】  本発明によるグラフィック信号の光伝送方法の動作を説明するための図面である。
【図１３】  図２の装置及び図１１の方法においてグラフィック信号の伝送形式の第１実施形態を示す図面である。
【図１４】  図１２のグラフィック信号の伝送形式を説明するための図面である。
【図１５】  図２の装置及び図１１の方法においてグラフィック信号の伝送形式の第２実施形態を示す図面である。
【図１６】  図１４のグラフィック信号の伝送形式を説明するための図面である。
【図１７】  従来のグラフィック信号の伝送装置と本発明のグラフィック信号の光伝送装置とのデータ伝送率を比較したテーブルである。
【符号の説明】
２０   グラフィックチップセット
２１   第１貯蔵手段
２２   送信インタフェース手段
２３   受信インタフェース手段
２４   第２貯蔵手段
２５   ディスプレー手段
【図１】
0003768124.tif 000002
【図２】
0003768124.tif 000003
【図３】
0003768124.tif 000004
【図４】
0003768124.tif 000005
【図５】
0003768124.tif 000006
【図６】
0003768124.tif 000007
【図７】
0003768124.tif 000008
【図８】
0003768124.tif 000009
【図９】
0003768124.tif 000010
【図１０】
0003768124.tif 000011
【図１１】
0003768124.tif 000012
【図１２】
0003768124.tif 000013
【図１３】
0003768124.tif 000014
【図１４】
0003768124.tif 000015
【図１５】
0003768124.tif 000016
【図１６】
0003768124.tif 000017
【図１７】
0003768124.tif 000018